(57)【要約】【課題】通信用の電波を遮蔽する通信用電波遮蔽部屋の提供。【解決手段】通信用電波遮蔽部屋１は、建造物１０の室内１４の空間を囲む壁１１，天井１２，床１３の各内壁面１１ａ，１２ａ，１３ａに、通信のための電波を遮蔽する導電性素材４を全域に均一に積層した電波遮蔽壁紙５を貼り付ける。電波遮蔽壁紙５の導電性素材４が建造物１０の室内１４を囲む壁１１，天井１２，床１２から入射した通信用の電波を確実に遮蔽する。建造物１０の室内１４にある携帯電話機２と建造物１０の室外１５にある基地局３との間での電波による通信が行えない。【選択図】　　　　図１
2004011368.tif 000002
【特許請求の範囲】
【請求項１】
建造物の内部に壁，天井，床によって区画され室外にある基地局との間での通信用の電波を遮蔽する通信用電波遮蔽部屋であって、
建造物の室内の空間を囲む壁，天井，床の各内壁面に、通信のための電波を遮蔽する導電性素材を全域に均一に積層した電波遮蔽壁紙を貼り付けたことを特徴とする通信用電波遮蔽部屋。
【請求項２】
導電性素材を全域に均一に積層した電波遮蔽壁紙は、建造物の室内の空間を囲む壁，天井，床の各内壁面の全体を覆っている請求項１に記載の通信用電波遮蔽部屋。
【請求項３】
電波遮蔽壁紙は、導電性素材に接続されたアース用端子を有し、アース用端子はアース導線を介して大地にアース接地されている請求項１または２に記載の通信用電波遮蔽部屋。
【請求項４】
導電性素材を全域に均一に積層した電波遮蔽壁紙は、建造物の室内の空間を囲む壁，天井，床の各内壁面に別々に貼り付けられており、互いに隣接する導電性素材の継ぎ目に相当する部分に隙間を覆って通信用の電波を遮蔽する導電性テープが貼り付けられている請求項１乃至３に記載の通信用電波遮蔽部屋。
【請求項５】
建造物の室内の空間を囲む少なくとも１つの壁は、出入口を有し、建造物の壁の出入口に開閉自在に配設されたドアに、通信用の電波を遮蔽する導電性素材を全域に均一に積層した電波遮蔽壁紙が貼り付けられている請求項１に記載の通信用電波遮蔽部屋。
【発明の詳細な説明】
【０００１】
【発明の属する技術分野】
本発明は、特に、建造物の室内にある携帯電話機と建造物の室外にある基地局との間での通信用の電波を遮蔽（シールド）するのに最適な通信用電波遮蔽部屋に関するものである。
【０００２】
【従来の技術】
近年の日本国内においては、無線で携帯しながら通信するための携帯電話，ＰＨＳ（Ｐｅｒｓｏｎａｌ　Ｈａｎｄｙｐｈｏｎｅ　Ｓｙｓｔｅｍ）等の携帯電話機が社会に広く普及してきており、低年令から高年令までの広範囲の年令層の人が手軽に使える携帯電話機を所持している。
【０００３】
従来、携帯電話機を利用して電波による通信を行うに際し、電磁ノイズ等の電磁波が携帯電話機から発生することが知られており、例えば、補聴器、心臓のペースメーカー、その他の各種医療用電気機器、自動ドア、火災報知器、高精度な制御や微弱な信号を取り扱う各種電子機器等が携帯電話機の周辺にある場合に、携帯電話機から発生する電磁ノイズ等の電磁波が各種医療用電気機器や各種電子機器に悪影響を及ぼし、補聴器、心臓のペースメーカー、その他の各種医療用電気機器、自動ドア、火災報知器、高精度な制御や微弱な信号を取り扱う各種電子機器等が浸入する電磁波により誤動作を起こすおそれがあることが社会的な問題となっている。
【０００４】
そして、特に、大勢の人々が利用して混雑する電車，新幹線，飛行機等の乗物、病院等の医療施設、映画館，劇場，コンサートホール，美術館等の公共施設、或いは料亭，会席茶屋，レストラン等の高級料理店においては、携帯電話機の着信音が鳴ったり、或いは携帯電話機を使用して通話を行ったりすると、携帯電話機の周辺にいる乗客，患者，観客，顧客等の多数の人に不快感を与えてトラブルの原因となり、携帯電話機の周辺にいる多数の人に迷惑がかからないように、不測の事態以外での携帯電話機の使用が規制若しくは禁止されている。
また、部屋内に浸入する電磁波は各種医療用電気機器や各種電子機器に悪影響を及ぼすおそれがあった。
【０００５】
さらに、携帯電話機の着信音が鳴らないようにするために、携帯電話機所持者が、あらかじめ携帯電話機の電源を切ったり、或いは携帯電話機をバイブレータ着信とするマナーモードに設定したりする必要があった。
【０００６】
【発明が解決しようとする課題】
ところが、現状では、携帯電話機の使用が規制若しくは禁止されている場所であるにも係わらず、携帯電話機の電源を切らなかったり、或いは携帯電話機をマナーモードに設定しない携帯電話機所持者も多く、携帯電話機所持者のマナーの悪さも問題になっている。
【０００７】
本発明の目的は、上述する問題点に対処して、携帯電話機の使用が規制若しくは禁止されている建造物の室内において、導電性素材を全域に均一に積層した電波遮蔽壁紙が建造物の室内の空間を囲む壁，天井，床の各内壁面に貼り付けられ、建造物の室内を囲む壁，天井，床から入射した通信用の電波を導電性素材により確実に遮蔽し、通信用の電波が建造物の室内に侵入するのを防止し、導電性素材が建造物の室内にある携帯電話機と建造物の室外にある基地局との間での通信用の電波を遮蔽する。この構成により、携帯電話機所持者が携帯電話機を電源を切らない状態で建造物の室内に持ち込んでしまった場合でも、建造物の室内では携帯電話機の着信音が鳴らず、従来のようにあらかじめ携帯電話機の電源を切ったり、或いは携帯電話機をマナーモードに設定したりする手間を省くことが可能な携帯電話通信用電波遮蔽部屋を提供することにある。
【０００８】
【課題を解決するための手段】
本発明の通信用電波遮蔽部屋は、建造物の内部に壁，天井，床によって区画され、建造物の室内にある携帯電話機と建造物の室外にある基地局との間での通信用の電波を遮蔽する通信用電波遮蔽部屋であって、建造物の室内の空間を囲む壁，天井，床の各内壁面に、通信のための電波を遮蔽する導電性素材を全域に均一に積層した電波遮蔽壁紙を貼り付けたことを特徴とする構成を有するものである。
【０００９】
本発明の通信用電波遮蔽部屋は、導電性素材を全域に均一に積層した電波遮蔽壁紙が、建造物の室内の空間を囲む壁，天井，床の各内壁面の全体を覆っている。
【００１０】
本発明の通信用電波遮蔽部屋は、電波遮蔽壁紙が、導電性素材に接続されたアース用端子を有し、アース用端子がアース導線を介して大地にアース接地されている。
【００１１】
本発明の通信用電波遮蔽部屋は、導電性素材を全域に均一に積層した電波遮蔽壁紙が、建造物の室内の空間を囲む壁，天井，床の各内壁面に別々に貼り付けられており、互いに隣接する導電性素材の継ぎ目に相当する部分に隙間を覆って通信用の電波を遮蔽する導電性テープが貼り付けられている。
【００１２】
本発明の通信用電波遮蔽部屋は、建造物の室内の空間を囲む少なくとも１つの壁が、出入口を有し、建造物の壁の出入口に開閉自在に配設されたドアに、通信用の電波を遮蔽する導電性素材を全域に均一に積層した電波遮蔽壁紙が貼り付けられている。
【００１３】
【発明の実施の形態】
以下、本発明の実施の形態を図面に基づいて詳細に説明する。
図１は本発明の実施の形態に係わる携帯電話の通信用電波遮蔽部屋を備えた建造物の構造を示す説明図である。
本発明の携帯電話の通信用電波遮蔽部屋１は、図１に示すように、建造物１０の内部に壁１１，天井１２，床１３によって区画され、建造物１０の室内１４にある携帯電話機２と建造物１０の室外１５にある基地局３との間での通信用の電波を遮蔽するためのものである。
【００１４】
本発明の携帯電話の通信用電波遮蔽部屋１は、図１に示すように、建造物１０の室内１４の空間を囲む壁１１，天井１２，床１３の各内壁面１１ａ，１２ａ，１３ａに、通信のための電波を遮蔽する導電性素材４を全域に均一に積層した電波遮蔽壁紙５がそれぞれ貼り付けられている。
【００１５】
本発明の携帯電話の通信用電波遮蔽部屋１は、図１に示すように、導電性素材４を全域に均一に積層した電波遮蔽壁紙５が、建造物１０の室内１４の空間を囲む壁１１，天井１２，床１３の各内壁面１１ａ，１２ａ，１３ａの全体を覆っている。
【００１６】
本発明の携帯電話の通信用電波遮蔽部屋１は、図１に示すように、電波遮蔽壁紙５が、導電性素材４に接続されたアース用端子６を有し、アース用端子６がアース導線６０を介して大地６１にアース接地されている。
【００１７】
本発明の携帯電話の通信用電波遮蔽部屋１は、図１に示すように、導電性素材４を全域に均一に積層した電波遮蔽壁紙５が、建造物１０の室内１４の空間を囲む壁１１，天井１２，床１３の各内壁面１１ａ，１２ａ，１３ａに別々に貼り付けられており、互いに隣接する導電性素材４，４の継ぎ目４０に相当する部分には隙間を覆って通信用の電波を遮蔽する導電性テープ７が貼り付けられている。（図４参照）
【００１８】
本発明の携帯電話の通信用電波遮蔽部屋１は、図１に示すように、建造物１０の室内１４の空間を囲む少なくとも１つの壁１１が、出入口１６を有し、建造物１０の壁１１の出入口１６に開閉自在に配設されたドア８には、通信用の電波を遮蔽する導電性素材４を全域に均一に積層した電波遮蔽壁紙５が貼り付けられている。（図３参照）
【００１９】
携帯電話の通信用電波遮蔽部屋１は、図１に示すように、建造物１０の室内１４の空間の四方を囲む垂直な複数の壁１１と、建造物１０の室内１４の空間の上部を囲む水平な天井１２と、建造物１０の室内１４の空間の底部を囲む天井１２に対向する水平な床１３とを有し、建造物１０の１つの壁１１には開口した出入口１６が形成され、建造物１０の壁１１に形成した出入口１６にはドア８が開閉自在に配設されている。
【００２０】
図２は本発明の実施の形態に係わる携帯電話の通信用電波遮蔽部屋を備えた建造物の室内の空間を囲む壁，天井，床の各内壁面に貼り付けられる電波遮蔽壁紙の構成を示す説明図であり、（ａ）は電波遮蔽壁紙の斜視図、（ｂ）は電波遮蔽壁紙の側面図、（ｃ）は電波遮蔽壁紙の後方斜視図である。
電波遮蔽壁紙５は、図２（ａ），（ｂ）に示すように、通信用の電波を遮蔽する導電性素材４を積層した基材をシート状に形成した壁紙本体５０を有しており、壁紙本体５０の全域には、図２（ｃ）に示すように、均一に導電性素材４が配設されている。
【００２１】
導電性素材４は、銅ネット，アルミニウムネット等の金属ネット、銅箔，アルミニウム箔等の極薄の金属箔、銅粉，アルミニウム粉等の微粒子の金属粉である。
【００２２】
電波遮蔽壁紙５は、図２（ａ），（ｂ），（ｃ）に示すように、導電性素材４が、１枚の壁紙本体５０の一面である裏側面５０ａの全域に重合されている。
【００２３】
電波遮蔽壁紙５は、図２（ａ），（ｃ）に示すように、壁紙本体５０が、導電性素材４に接続されたアース用端子６を有している。
【００２４】
電波遮蔽壁紙５の壁紙本体５０は、和紙，洋紙，合成紙等の紙、織物，編物，不織布等の布、プラスチックシート，ビニルシート等の合成樹脂シート、或いはプラスチックフィルム，ビニルフィルム等の合成樹脂フィルムからなる。
【００２５】
電波遮蔽壁紙５の１枚の壁紙本体５０の裏側には、図２（ａ），（ｃ）に示すように、導電性素材４が配置され、電波遮蔽壁紙５の壁紙本体５０の裏側面５０ａには、図２（ｂ）に示すように、全域に導電性素材４の内側面４１ａが接着剤により貼着されている。
【００２６】
電波遮蔽壁紙５の壁紙本体５０の一側縁５１ａと下縁５１ｂとのコーナー部５１ｃには、図２（ａ），（ｃ）に示すように、アース用端子６が付設され、アース用端子６は導電性素材４に接続されている。
【００２７】
次に、本発明の実施の形態に係わる携帯電話の通信用電波遮蔽部屋を備えた建造物の室内の空間を囲む壁，天井，床の各内壁面への電波遮蔽壁紙の貼り付け手順を説明する。
まず、電波遮蔽壁紙５の１枚の壁紙本体５０の裏側面５０ａに貼着した導電性素材４の外側面４１ｂに粘着剤が塗布される。
【００２８】
次いで、電波遮蔽壁紙５の導電性素材４の外側面４１ｂが建造物１０の室内１４の空間の四方を囲む垂直な複数の壁１１の内壁面１１ａに粘着剤により貼り付けられ、図１に示すように、電波遮蔽壁紙５の１枚の壁紙本体５０と導電性素材４が建造物１０の室内１４に臨んでいる壁１１の内壁面１１ａに対して貼着される。
【００２９】
また、電波遮蔽壁紙５の導電性素材４の外側面４１ｂが建造物１０の室内１４の空間の上部を囲む水平な天井１２の下面である内壁面１２ａに粘着剤により貼り付けられ、図１に示すように、電波遮蔽壁紙５の１枚の壁紙本体５０と導電性素材４が建造物１０の室内１４に臨んでいる天井１２の内壁面１２ａに対して貼着される。
【００３０】
さらに、電波遮蔽壁紙５の導電性素材４の外側面４１ｂが建造物１０の室内１４の空間の底部を囲む水平な床１３の上面である内壁面１３ａに粘着剤により貼り付けられ、図１に示すように、電波遮蔽壁紙５の１枚の壁紙本体５０と導電性素材４が建造物１０の室内１４に臨んでいる床１３の内壁面１３ａに対して貼着される。
【００３１】
そして、電波遮蔽壁紙５を建造物１０の室内１４の空間を囲む壁１１の内壁面１１ａ，天井１２の内壁面１２ａ，床１３の内壁面１３ａにそれぞれ貼り付けることにより、図１に示すように、建造物１０の内部に壁１１，天井１２，床１３によって区画された電波シールドルームとなる携帯電話の通信用電波遮蔽部屋１が形成される。
【００３２】
電波遮蔽壁紙５の壁紙本体５０に付設したアース用端子６は、図１に示すように、アース導線６０を介して大地６１にアース接地されている。
【００３３】
図３は本発明の実施の形態に係わる携帯電話の通信用電波遮蔽部屋を備えた建造物の壁の出入口に配置されるドアの構造を示す側面図である。
建造物１０の壁１１の出入口１６に配設されたドア８の室内１４に臨む内側面８０ａには、図３に示すように、通信用の電波を遮蔽する導電性素材４を全域に均一に積層した電波遮蔽壁紙５が貼り付けられている。
そして、通信用の電波が、建造物１０の壁１１に形成された出入口１６とドア８との間の隙間から建造物１０の室内１４へ侵入しないような電波シールド構造となっている。
【００３４】
図４は本発明の実施の形態に係わる携帯電話の通信用電波遮蔽部屋に貼り付けられた２枚の互いに隣接する電波遮蔽壁紙の導電性テープによる接合状態を示す説明図であり、（ａ）は２枚の互いに隣接する電波遮蔽壁紙の正面図、（ｂ）は２枚の互いに隣接する電波遮蔽壁紙の平面図、（ｃ）は２枚の互いに隣接する電波遮蔽壁紙の背面図である。
２枚の互いに隣接する電波遮蔽壁紙５，５の壁紙本体５０，５０に積層した導電性素材４の一側縁４２ａと導電性素材４の他側縁４２ｂとの間の継ぎ目４０に相当する部分の外側面には、図４（ａ），（ｂ），（ｃ）に示すように、通信用の電波を遮蔽する導電性テープ７が貼り付けられ、電波遮蔽壁紙５，５の互いに隣接する壁紙本体５０，５０が導電性テープ７により接合され、電波遮蔽壁紙５，５の互いに隣接する導電性素材４と導電性素材４とが導電性テープ７を介して接続されている。
【００３５】
次に、本発明の実施の形態に係わる携帯電話の通信用電波遮蔽部屋の利用方法について説明する。
携帯電話機２を所持した携帯電話機所持者２０は、携帯電話の通信用電波遮蔽部屋１の外部・建造物１０の室外１５に出ると、通常の携帯電話機２を使用した電波による通信を行うことが可能である。
【００３６】
また、携帯電話機２を所持した携帯電話機所持者２０は、まず、建造物１０の壁１１の出入口１６に配設したドア８を手で開け、建造物１０の壁１１の開口した出入口１６から携帯電話通信用電波遮蔽部屋１の内部である建造物１０の室内１４へと入った後、ドア８を手で閉める。
【００３７】
そして、図１に示すように、導電性素材４を全域に均一に積層した電波遮蔽壁紙５を建造物１０の室内１４の空間を囲む壁１１，天井１２，床１３の各内壁面１１ａ，１２ａ，１３ａに貼り付けたので、建造物１０の室内１４を囲む壁１１，天井１２，床１３から入射した通信用の電波を電波遮蔽壁紙５の導電性素材４により遮蔽し、通信用の電波が建造物１０の室内１４に侵入するのを防止し、電波遮蔽壁紙５の導電性素材４が建造物１０の室内１４にある携帯電話機２と建造物１０の室外１５にある基地局３との間での通信用の電波を遮蔽しているので、携帯電話の通信用電波遮蔽部屋１の内部である建造物１０の室内１４から携帯電話機２を使用した電波による通信が行えない状態となる。また、携帯電話機所持者２０が携帯電話機２を電源を切らない状態で建造物１０の室内１４に持ち込んだ場合でも、建造物１０の室内１４では携帯電話機２の着信音が鳴らないので、あらかじめ携帯電話機２の電源を切ったり、或いは携帯電話機２をマナーモードに設定したりする必要もなく、携帯電話機２の周辺にいる人に迷惑をかけることもない。また、通信用電波が室内に侵入しないので、各種医療用電気機器や各種電子機器に電磁波による悪影響を及ぼすおそれがない。
【００３８】
さらに、携帯電話機２の使用が規制若しくは禁止されている建造物１０の室内１４において、図１に示すように、電波遮蔽壁紙５の導電性素材４がアース用端子６，アース導線６０を介して大地６１に接続されるので、電波遮蔽壁紙５の導電性素材４と大地６１とを同電位に保ち、建造物１０の室内１４を囲む壁１１，天井１２，床１３から入射した電波は電波遮蔽壁紙５の導電性素材４からアース用端子６，アース導線６０を通って大地６１へと流れ、電波が携帯電話通信用電波遮蔽部屋１の内部である建造物１０の室内１４にある携帯電話機２に侵入するのをアース用端子６，アース導線６０により確実に防止することができる。
【００３９】
また、導電性素材４を全域に均一に積層した電波遮蔽壁紙５が建造物１０の室内１４の空間を囲む壁１１，天井１２，床１３の各内壁面１１ａ，１２ａ，１３ａに別々に貼り付けられると共に、通信用の電波を遮蔽する導電性テープ７が電波遮蔽壁紙５，５の互いに隣接する導電性素材４，４の継ぎ目４０に相当する部分に隙間を覆って貼り付けられており、電波遮蔽壁紙５，５の互いに隣接する導電性素材４，４の間の継ぎ目４０に相当する部分を導電性テープ７で完全に覆い、導電性テープ７が建造物１０の室内１４を囲む壁１１，天井１２，床１３から入射した通信用の電波を遮蔽するので、通信用の電波が電波遮蔽壁紙５，５の互いに隣接する導電性素材４，４の間の継ぎ目４０の隙間から建造物１０の室内１４へ侵入するのを導電性テープ７により確実に防止することができる。
【００４０】
さらに、図３に示すように、導電性素材４を全域に均一に積層した電波遮蔽壁紙５が建造物１０の壁１１に形成した出入口１６に開閉自在に配設されたドア８の内側面８０ａに貼り付けられているので、ドア８の内側面８０ａの全域を電波遮蔽壁紙５で完全に覆うことができ、電波遮蔽壁紙５の導電性素材４がドア８から入射した通信用の電波を遮蔽し、通信用の電波がドア８から携帯電話の通信用電波遮蔽部屋１の内部である建造物１０の室内１４へ侵入するのを電波遮蔽壁紙５の導電性素材４により確実に防止することができる。
【００４１】
【発明の効果】
以上に述べたように、本発明の通信用電波遮蔽部屋によれば、携帯電話機の使用が規制若しくは禁止されている建造物の室内において、導電性素材を全域に均一に積層した電波遮蔽壁紙を建造物の室内の空間を囲む壁，天井，床の各内壁面に貼り付けたので、建造物の室内を囲む壁，天井，床から入射した通信用の電波を導電性素材により確実に遮蔽することができ、通信用の電波が建造物の室内に侵入するのを防止する。そして、導電性素材が建造物の室内にある携帯電話機と建造物の室外にある基地局との間での通信用の電波を遮蔽しているので、建造物の室内から携帯電話機を使用した電波による通信が行えない状態となり、携帯電話機所持者が携帯電話機を電源を切らない状態で建造物の室内に持ち込んだ場合でも、建造物の室内では携帯電話機の着信音が鳴らないので、従来のようにあらかじめ携帯電話機の電源を切ったり、或いは携帯電話機をマナーモードに設定したりする手間を省くことができ、しかも、各種医療用電気機器や各種電子機器に携帯電話機から発生する電磁波による悪影響を及ぼすおそれがなく、携帯電話機の周辺にいる人に迷惑をかけることもない。
【００４２】
本発明の携帯電話の通信用電波遮蔽部屋によれば、導電性素材を全域に均一に積層した電波遮蔽壁紙が建造物の室内の空間を囲む壁，天井，床の各内壁面の全体を覆っているので、建造物の室内の空間を囲む壁，天井，床を電波遮蔽壁紙により補強して保護することができる。
【００４３】
本発明の通信用電波遮蔽部屋によれば、携帯電話機の使用が規制若しくは禁止されている建造物の室内において、電波遮蔽壁紙が導電性素材に接続されたアース用端子を有し、アース用端子がアース導線を介して大地にアース接地されているので、電波遮蔽壁紙の導電性素材と大地とを同電位に保つことができ、建造物の室内を囲む壁，天井，床から入射した電波が導電性素材からアース用端子，アース導線を通って大地へと流れるので、電波が建造物の室内にある携帯電話機に侵入するのをアース用端子，アース導線により確実に防止することができる。
【００４４】
本発明の通信用電波遮蔽部屋によれば、導電性素材を全域に均一に積層した電波遮蔽壁紙が建造物の室内の空間を囲む壁，天井，床の各内壁面に別々に貼り付けられると共に、通信用の電波を遮蔽する導電性テープが互いに隣接する導電性素材の継ぎ目に相当する部分に隙間を覆って貼り付けられているので、互いに隣接する導電性素材の間の継ぎ目に相当する部分を導電性テープにより完全に覆うことができ、導電性テープが建造物の室内を囲む壁，天井，床から入射した通信用の電波を遮蔽するので、通信用の電波の互いに隣接する導電性素材の間の継ぎ目の隙間から建造物の室内への侵入を導電性テープにより確実に防止することができる。
【００４５】
本発明の通信用電波遮蔽部屋によれば、導電性素材を全域に均一に積層した電波遮蔽壁紙が建造物の壁の出入口に開閉自在に配設されたドアに貼り付けられているので、ドアの一面の全域を電波遮蔽壁紙で完全に覆うことができ、導電性素材がドアから入射した通信用の電波を遮蔽するので、通信用の電波がドアから建造物の室内へ侵入するのを電波遮蔽壁紙の導電性素材により確実に防止することができる。
【図面の簡単な説明】
【図１】本発明の実施の形態に係わる携帯電話通信用電波遮蔽部屋を備えた建造物の構造を示す説明図である。
【図２】本発明の実施の形態に係わる携帯電話通信用電波遮蔽部屋を備えた建造物の室内の空間を囲む壁，天井，床の各内壁面に貼り付けられる電波遮蔽壁紙の構成を示す説明図。
【図３】本発明の実施の形態に係わる携帯電話通信用電波遮蔽部屋を備えた建造物の壁の出入口に配置されるドアの構造を示す側面図。
【図４】本発明の実施の形態に係わる携帯電話通信用電波遮蔽部屋に貼り付けられた２枚の互いに隣接する電波遮蔽壁紙の導電性テープによる接合状態を示す説明図。
【符号の説明】
１　携帯電話通信用電波遮蔽部屋
２　携帯電話機
３　基地局
４　導電性素材
５　電波遮蔽壁紙
６　アース用端子
７　導電性テープ
８　ドア
１０　建造物
１１　壁
１１ａ　内壁面
１２　天井
１２ａ　内壁面
１３　床
１３ａ　内壁面
１４　室内
１５　室外
１６　出入口
２０　携帯電話機所持者
４０　継ぎ目
４１ａ　内側面
４１ｂ　外側面
４２ａ　一側縁
４２ｂ　他側縁
５０　壁紙本体
５０ａ　裏側面
５１ａ　一側縁
５１ｂ　下縁
５１ｃ　コーナー部
６０　アース導線
６１　大地
８０ａ　内側面
【図１】
2004011368.tif 000003
【図２】
2004011368.tif 000004
【図３】
2004011368.tif 000005
【図４】
2004011368.tif 000006